(57)【要約】  【課題】  オーディオ出力レベルの自動調整に機体システムからの自己診断要求信号を利用した機体搭載用音楽再生装置を提供する。  【解決手段】  機体システムとの通信回路と、レベル規正用信号を有する記録装置と、オーディオ出力信号の期待値を有し、かつ前記通信回路からの命令に基づき前記記録装置に音楽再生を指示するマイクロプロセッサーと、前記記録装置から出力されたオーディオ信号をアッテネータを介してＤ／Ａ変換した後オーディオ出力信号として出力するオーディオ回路と、前記オーディオ出力信号をＡ／Ｄ変換した後最大値を検出し前記マイクロプロセッサーに出力する最大値検出する手段を有し、オーディオ出力信号の最大値が期待値と一致するようアッテネータを調整し、機体システムからの自己診断要求信号を自動調整命令として利用する。【選択図】  図１
2005223482.tif 000002
【特許請求の範囲】
【請求項１】
機体システムと、
装置の各部を制御するとともに、オーディオ出力の期待値を有するマイクロプロセッサーと、
前記機体システムと前記マイクロプロセッサー間の通信を行う通信回路と、
前記マイクロプロセッサーからの再生要求に応じて記録装置あるいは記録媒体に記録されているレベル規正用信号を出力する記録装置と、
前記マイクロプロセッサーから送信される設定レベルに従い前記記録装置の出力をゲイン調整するアッテネーターと、
前記アッテネーターの出力をＤ／Ａ変換するＤ／Ａ変換器と、
Ｄ／Ａ変換後の信号をオーディオ信号として出力するオーディオ回路と、
前記オーディオ信号をＡ／Ｄ変換する第１のＡ／Ｄ変換器と、
Ａ／Ｄ変換後の信号の最大値を検出し、前記マイクロプロセッサーに送信するピークホールド回路と、
を備え、
前記最大値と前記マイクロプロセッサーが前記機体システムからの自己診断要求信号を受信し、受信命令に基づき前記記録装置に音楽再生を指示し、かつ保持している前記期待値とが一致するように前記アッテネーターを制御することにより自動的にオーディオ出力を調整し、その結果を自己診断結果として前記機体システムに送信することを特徴とするオーディオ信号処理装置。
【請求項２】
前記記録装置に記録されている自動調整用アナログ信号を再生し、第２のＡ／Ｄ変換器でＡ／Ｄ変換を行い、Ａ／Ｄ変換後の信号をレベル規正用信号として前記アッテネーターに入力することを特徴とする請求項１記載のオーディオ信号処理装置。
【発明の詳細な説明】
【技術分野】
【０００１】
本発明は、旅客機搭載ＡＶシステムにおける複数音楽プログラム間のオーディオ出力レベルを自動調整するオーディオ信号処理回路に関するものである。
【背景技術】
【０００２】
旅客機搭載ＡＶシステムは、複数の媒体に記録された音楽プログラムを同時に配信し、乗客が各座席に設置された操作端末装置により任意の音楽プログラムを選択できるように構築されている。
【０００３】
図３に一般的な旅客機搭載ＡＶシステムの構成図を示す。図３において、Ｎ台の音楽再生装置３２は、機体システム３１からの再生命令に従い、音楽プログラムを出力する。
【０００４】
音楽プログラムは一つあるいは複数の音楽多重化装置３３により多重化され、機内に配信される。乗客は各座席に設置された乗客操作端末装置３５により、任意の音楽プログラムを選択し視聴することができる。この構成において、音楽プログラムの音量は、各座席の乗客操作端末装置３５よりの指令により音量調節装置３６で調整されていた。
【０００５】
図４に一般的なレベル調整システムの構成図を示す。図４において、音楽再生装置４１から配信された音楽プログラム４２は、電子ボリューム等の音量調節手段４３を用いて音量を調節した後、Ｄ／Ａ変換回路４４ならびにオーディオ回路４５によりオーディオ出力信号４６に変換される。
【非特許文献１】中島平太郎、土井利忠、福田譲治、伊賀章共著「ディジタルオーディオ技術入門」オーム社、１９７９年
【非特許文献２】ＡＥＲＯＮＡＵＴＩＣＡＬ  ＲＡＤＩＯ，ＩＮＣ．著、ＡＲＩＮＣ  ＳＰＥＣＩＦＩＣＡＴＩＯＮ  ６２８Ｐ１−３
【発明の開示】
【発明が解決しようとする課題】
【０００６】
しかし、再生装置毎の出力レベルに差異がある場合、乗客は選択する音楽プログラムを変更する度に音量調整が必要となっている。また再生装置の出力が複数の音楽多重化装置に接続されている場合、オーディオ出力レベルが大きく低下する欠点があった。
【０００７】
音楽多重化装置を複数台接続することによりオーディオ出力レベルが低下する原因は、音楽多重化装置の入力インピーダンスが低くなることによる。旅客機内のＡＶシステムにおけるオーディオの入力インピーダンスは６００Ωと規定されているため、Ｎ台の音楽多重化装置を接続した時、その入力インピーダンスは（６００／Ｎ）Ωとなる。この問題は、音楽再生装置の出力インピーダンスを小さくすることにより解決可能であるが、機体での雑音対策として、音楽再生装置のオーディオ出力には出力トランスを装備することが多く、出力インピーダンスを低くする場合、出力トランスは実装上無視できない大きさを必要とする。
【０００８】
本発明では、音楽再生装置を含む旅客機搭載ＡＶシステムにおいて、再生される音楽プログラムの録音レベルに差異がある場合、人が装置に触れることが困難ため、音楽再生装置のオーディオ出力レベルを変更することができない点を解決するものである。
【課題を解決するための手段】
【０００９】
本発明は、機体システムが機体運行時に必ず送信する自己診断要求信号を利用することにより、毎運行開始時に、音楽再生装置が再生する全音楽プログラムのオーディオ出力レベルを自動的に調整することを主要な特徴とする。
【発明の効果】
【００１０】
システム起動時に、音楽再生装置の出力レベルを自動的に調整することにより、座席に配信される全ての音楽プログラムが統一されたレベルで提供され、乗客による視聴プログラム変更毎のレベル調整を不要とすることが可能である。
【発明を実施するための最良の形態】
【００１１】
機体システム起動時に全装置に送信される自己診断要求信号を自動調整起動命令として、自己診断結果報告を自動調整結果報告として利用することにより、機体システムでの追加機能を必要とすることなく、音楽再生装置の出力レベルを自動調整することを可能にした。これにより、本発明を有する音楽再生装置を既存の旅客機に搭載した場合、既存システムの変更を必要とすることなく、音楽プログラムのレベル統一を実現することが可能となる。
【００１２】
（実施の形態１）
図１は、本発明の第１の実施の形態であり、ディジタル音楽プログラムの場合の構成を示している。
【００１３】
１は本装置を制御する機体システム、２は自己診断要求信号、３は機体システムとの通信回路、４は本装置の各部を制御するマイクロプロセッサーであり、本装置のオーディオ出力信号レベルの期待値を有している。５はレベル規正用信号の再生要求、６は記録装置であり、各音楽プログラムのレベル規正用信号７を有している。８はアッテネーター、９はＤ／Ａ変換回路、１０はオーディオ回路、１１はオーディオ回路から出力されるオーディオ出力信号、１２はＡ／Ｄ変換回路、１３はピークホールド回路、１４は前記ピークホールド回路で検出された最大値、１５は前記マイクルプロセッサーから前記アッテネーターへの設定レベル、１６は機体システムへの自己診断結果報告信号である。
【００１４】
機体システム１は、システムの起動後、音楽再生装置に対して、自己診断要求信号２を送信する。音楽再生装置は、前記機体システム１との通信を司る通信回路３を介して、自己診断要求をマイクロプロセッサー４で受信する。前記自己診断要求を受信した前記マイクロプロセッサー４は、記録装置６に対し、レベル規正用信号７を出力するよう再生要求信号５を送信する。前記レベル規正用信号７は、固有周波数、固有レベルの信号であり、本装置では、各音楽信号の最大値をレベル規正用信号のレベルとする。前記レベル規正用信号７は、任意のレベルに設定されたアッテネーター８を介し、Ｄ／Ａ変換回路９でアナログ信号に変換された後、オーディオ回路１０からオーディオ出力信号１１として装置外部とＡ／Ｄ変換回路１２に出力される。前記Ａ／Ｄ変換回路１２において前記オーディオ出力信号１１はディジタル化された後、ピークホールド回路１３に送られる。
【００１５】
前記ピークホールド回路１３は、入力された信号の最大値を検出し、その結果をオーディオ出力信号最大値１４として前記マイクロプロセッサー４に出力する。前記マイクロプロセッサー４は、自身が有しているオーディオ出力信号レベルの期待値と前記オーディオ出力信号最大値１４を比較し、前記オーディオ出力信号最大値１４と前記オーディオ出力信号レベルの期待値が一致するよう前記アッテネーター８に設定レベル１５を送信する。
【００１６】
その後、前記マイクロプロセッサー４は、前記オーディオ出力信号最大値１４が前記オーディオ出力信号のレベル期待値と一致したことを確認し、前記通信回路３を介して機体システム１に自動調整完了を自己診断結果報告１６として自動調整の完了を報告する。
【００１７】
音楽再生装置は、通常機体の航空電子機器装着エリアに搭載されるため、作業者等が容易に触れることができない。一方、自己診断機能はシステム起動時に必ず動作する機能であり、全ての機体システムに実装されているため、この機能を音楽プログラムの自動調整機能に利用することにより、全ての機体において利用可能な音楽再生装置のオーディオ出力レベルの自動調整機能を実現することができる。
【００１８】
（実施の形態２）
図４は、本発明の第２の実施の形態であり、アナログ音楽プログラムの場合の構成を示している。１から１６は図２と同様である。１７はレベル規正用アナログ信号、１８はＡ／Ｄ変換回路である。
【００１９】
記録装置６から再生されたレベル規正用アナログ信号１７はＡ／Ｄ変換回路１８においてレベル規正用アナログ信号７に変換される。それ以外の動作は図３の場合と同様である。
【産業上の利用可能性】
【００２０】
本発明のオーディオ信号処理回路は、システム起動時に、音楽再生装置の出力レベルを自動的に調整することにより、座席に配信される全ての音楽プログラムが統一されたレベルで提供され、乗客による視聴プログラム変更毎のレベル調整を不要とすることが可能であるという効果を有し、旅客機搭載ＡＶシステムにおける複数音楽プログラム間のオーディオ出力レベルを自動調整する装置等に有用である。
【図面の簡単な説明】
【００２１】
【図１】本発明の第１の実施の形態によるシステム構成図
【図２】本発明の第２の実施の形態によるシステム構成図
【図３】旅客機搭載ＡＶシステムの構成図
【図４】一般的なレベル調整システム構成図
【符号の説明】
【００２２】
１  機体システム
２  自己診断要求信号
３  通信回路
４  マイクロプロセッサー
５  レベル規正用信号再生要求信号
６  記録装置
７  レベル規正用信号
８  アッテネーター
９  Ｄ／Ａ変換回路
１０  オーディオ出力回路
１１  オーディオ出力信号
１２  （第１の）Ａ／Ｄ変換回路
１３  ピークホールド回路
１４  オーディオ出力信号の最大値
１５  アッテネーターの設定値
１６  自己診断結果報告信号
１７  レベル規正用アナログ信号
１８  （第２の）Ａ／Ｄ変換回路
【図１】
2005223482.tif 000003
【図２】
2005223482.tif 000004
【図３】
2005223482.tif 000005
【図４】
2005223482.tif 000006